(57)【要約】【課題】広角および望遠を簡単に切替えること。【解決手段】撮像装置は、複数の受光部で構成される受光面に入射された光が結像した画像の画素ごとの色を特定する値を示す画素情報を出力するイメージセンサを含み、第１の領域の受光部についてｍの自乗の受光部ごとに１つの画素情報を出力する第１のモードと、第１の領域のｎ倍の相似形の第２の領域の受光部についてｍの自乗にｎの自乗を掛けた数の受光部ごとに１つの画素情報を出力する第２のモードとを有する処理部と、外部から入射された光を処理部の受光面に導く光学系と、広角または望遠に切替える操作を受付ける切替操作部（Ｓ１５１）と、広角への切替操作を受付の場合、処理部を第２のモードに切替え（Ｓ１５７）、望遠への切替操作を受付の場合、処理部を第１のモードに切替える（Ｓ１５４）制御部と、処理部から出力された画素情報に基づく画像情報を記録媒体または外部に出力する出力部とを備える。【選択図】図８
2011114788.tif 000002
【特許請求の範囲】
【請求項１】
複数の受光部で構成される受光面に入射された光が結像した画像の画素ごとの色を特定する値を示す画素情報を出力するイメージセンサを含み、受光面の第１の領域に含まれる受光部について第１の数の自乗の受光部ごとに１つの画素情報を出力する第１のモードと、前記第１の領域の第２の数の倍率の相似形の第２の領域に含まれる受光部について前記第１の数の自乗に前記第２の数の自乗を掛けた数の受光部ごとに１つの画素情報を出力する第２のモードとを少なくとも有するイメージ処理部と、
外部から入射された光を前記イメージ処理部の前記受光面に導く光学系と、
広角または望遠に切替える操作を受付ける切替操作手段と、
前記切替操作手段によって前記広角に切替える操作が受付けられた場合、前記イメージ処理部を前記第２のモードに切替え、前記望遠に切替える操作が受付けられた場合、前記イメージ処理部を前記第１のモードに切替える制御手段と、
前記イメージ処理部から出力された前記画素情報に基づく画像情報を記録媒体または外部に出力する出力手段とを備えた撮像装置。
【請求項２】
前記光学系は、前記イメージ処理部の前記受光面に結像される画像を拡大するズーム倍率を、第３の数の倍率から第４の数の倍率までの範囲で変更可能であり、
前記ズーム倍率を変更する操作を受付けるズーム操作手段をさらに備え、
前記光学系は、前記ズーム操作手段によって受付けられた操作に応じて、前記ズーム倍率を変更する、請求項１に記載の撮像装置。
【請求項３】
前記イメージ処理部は、前記第１のモードにおいて、前記第１の数の自乗の前記受光部に含まれる前記受光部の前記画素情報で示されるそれぞれの値の加算値を示す１つの画素情報を出力し、前記第２のモードにおいて、前記第１の数の自乗に前記第２の数の自乗を掛けた数の前記受光部に含まれる前記受光部の前記画素情報で示されるそれぞれの値の加算値を示す１つの画素情報を出力する、請求項１に記載の撮像装置。
【請求項４】
前記第１の領域は、Ｈ×Ｖの前記受光部を含む矩形の領域であり、
前記第２の領域は、ｎＨ×ｎＶの前記受光部を含む矩形の領域であり、
前記第１の領域および前記第２の領域の中心点は同じである、請求項１に記載の撮像装置。
【請求項５】
複数の受光部で構成される受光面に入射された光が結像した画像の画素ごとの色を特定する値を示す画素情報を出力するイメージセンサを含み、第１の領域に含まれる受光部について第１の数の受光部ごとに１つの画素情報を出力する第１のモードと、前記第１の領域の第２の数の倍率の相似形の第２の領域に含まれる受光部について前記第１の数に前記第２の数の自乗を掛けた数の受光部ごとに１つの画素情報を出力する第２のモードとを少なくとも有するイメージ処理部と、外部から入射された光を前記イメージ処理部の前記受光面に導く光学系と、前記イメージ処理部から出力された前記画素情報に基づく画像情報を記録媒体または外部に出力する出力部とを備えた撮像装置によって実行される撮像方法であって、
広角または望遠に切替える操作を受付けるステップと、
前記広角に切替える操作が受付けられた場合、前記イメージ処理部を前記第２のモードに切替え、前記望遠に切替える操作が受付けられた場合、前記イメージ処理部を前記第１のモードに切替えるステップとを含む撮像方法。
【発明の詳細な説明】
【技術分野】
【０００１】
本発明は、撮像装置、および、撮像方法に関し、特に、ズームレンジの切替に適した撮像装置、および、撮像方法に関する。
【背景技術】
【０００２】
従来、トラディショナルな８ｍｍビデオカメラでは、ターレットレンズを回転させて画角を切替えるものが存在した。また、デジタル一眼カメラでは、レンズシステムにより、画角やズームレンジを選択できるようになっている。
【０００３】
一方、特許文献１（たとえば、段落［００２９］参照）には、ズーム操作ボタンの操作に応じて、光学ズーム処理を実行したり、電子ズーム処理を実行したりするとともに、電子ズーム処理において、ズーム操作ボタンの操作に応じて電子ズーム倍率を決定し、電子ズーム倍率に応じて電荷の画素混合数になった場合に、電荷の画素混合数を減少させることで電子ズーム後の映像の解像度を向上させることが可能な撮像装置が記載されている。
【先行技術文献】
【特許文献】
【０００４】
【特許文献１】特開２００４−７２２７８号公報
【発明の概要】
【発明が解決しようとする課題】
【０００５】
しかし、特許文献１のような撮像装置においては、ズームレンジの切替といった概念はなかった。また、ズームをしている途中で、画素混合数が変更されるため、その時点においてズームされる映像が不連続となってしまうといった問題が生じる。
【０００６】
この発明は、上述の問題を解決するためになされたものであり、その目的の１つは、広角および望遠を簡単に切替えることが可能な撮像装置、および、撮像方法を提供することである。
【課題を解決するための手段】
【０００７】
上述の目的を達成するために、この発明のある局面によれば、撮像装置は、複数の受光部で構成される受光面に入射された光が結像した画像の画素ごとの色を特定する値を示す画素情報を出力するイメージセンサを含み、受光面の第１の領域に含まれる受光部について第１の数の自乗の受光部ごとに１つの画素情報を出力する第１のモードと、第１の領域の第２の数の倍率の相似形の第２の領域に含まれる受光部について第１の数の自乗に第２の数の自乗を掛けた数の受光部ごとに１つの画素情報を出力する第２のモードとを少なくとも有するイメージ処理部と、外部から入射された光をイメージ処理部の受光面に導く光学系と、広角または望遠に切替える操作を受付ける切替操作部と、切替操作部によって広角に切替える操作が受付けられた場合、イメージ処理部を第２のモードに切替え、望遠に切替える操作が受付けられた場合、イメージ処理部を第１のモードに切替える制御部と、イメージ処理部から出力された画素情報に基づく画像情報を記録媒体または外部に出力する出力部とを備える。
【０００８】
この発明に従えば、撮像装置によって、広角に切替える操作が受付けられた場合には、受光面に入射された画像のうち第１の領域の画像情報が出力され、望遠に切替える操作が受付けられた場合には、受光面に入射された画像のうち第１の領域の第２の数の倍率の相似形の第２の領域の画像情報が、広角に切替えられた場合の画素数と同じ画素数で出力される。つまり、広角および望遠で出力される画像情報で示される画像は、それぞれ、画素数が同じであり、望遠の場合の被写体が、広角の場合の被写体の第２の数の倍率の相似形となる。
【０００９】
その結果、広角および望遠を簡単に切替えることが可能な撮像装置を提供することができる。また、望遠に切替える操作が行なわれるだけで、被写体の倍率を第２の数の倍率とすることができるので、広角および望遠を簡単にダイナミックに切替えることができる。
【００１０】
好ましくは、光学系は、イメージ処理部の受光面に結像される画像を拡大するズーム倍率を、第３の数の倍率から第４の数の倍率までの範囲で変更可能であり、ズーム倍率を変更する操作を受付けるズーム操作部をさらに備え、光学系は、ズーム操作部によって受付けられた操作に応じて、ズーム倍率を変更する。
【００１１】
この発明に従えば、撮像装置によって、広角に切替える操作が受付けられた場合には、第３の数の倍率から第４の数の倍率までのズーム倍率で拡大されて受光面に入射された画像のうち第１の領域の画像情報が出力され、望遠に切替える操作が受付けられた場合には、第３の数の倍率から第４の数の倍率までのズーム倍率で拡大されて受光面に入射された画像のうち第１の領域の第２の数の倍率の相似形の第２の領域の画像情報が出力される。つまり、広角および望遠で出力される画像情報で示される画像は、それぞれ、画素数が同じであり、広角の場合のズームレンジが、第３の数の倍率から第４の数の倍率までで、望遠の場合のズームレンジが、第３の数に第２の数を掛けた倍率から第４の数に第２の数を掛けた倍率までとなる。
【００１２】
その結果、撮像装置によれば、ズームレンジを広角レンジおよび望遠レンジに簡単に切替えることができる。また、撮像装置によれば、広角または望遠に切替える操作がされない限り、イメージ処理部のモードが切替えられないので、それぞれのズームレンジ内でのズームにおいて、イメージ処理部のモード切替による不連続点の発生を防止することができ、シームレスなズーム機能を提供することができる。
【００１３】
好ましくは、イメージ処理部は、第１のモードにおいて、第１の数の自乗の受光部に含まれる受光部の画素情報で示されるそれぞれの値の加算値を示す１つの画素情報を出力し、第２のモードにおいて、第１の数の自乗に第２の数の自乗を掛けた数の受光部に含まれる受光部の画素情報で示されるそれぞれの値の加算値を示す１つの画素情報を出力する。
【００１４】
この発明に従えば、第１の数の自乗および第１の数の自乗に第２の数の自乗を掛けた数の受光部に含まれる画素情報で示される何れかの値を１つの画素情報として出力する場合と比較して、１画素当りの情報量を第１の数の自乗倍とすることができる。その結果、感度を向上させることができる。
【００１５】
好ましくは、第１の領域は、Ｈ×Ｖの受光部を含む矩形の領域であり、第２の領域は、ｎＨ×ｎＶの受光部を含む矩形の領域であり、第１の領域および第２の領域の中心点は同じである。
【００１６】
この発明の他の局面によれば、撮像方法は、複数の受光部で構成される受光面に入射された光が結像した画像の画素ごとの色を特定する値を示す画素情報を出力するイメージセンサを含み、第１の領域に含まれる受光部について第１の数の受光部ごとに１つの画素情報を出力する第１のモードと、第１の領域の第２の数の倍率の相似形の第２の領域に含まれる受光部について第１の数に第２の数の自乗を掛けた数の受光部ごとに１つの画素情報を出力する第２のモードとを少なくとも有するイメージ処理部と、外部から入射された光をイメージ処理部の受光面に導く光学系と、イメージ処理部から出力された画素情報に基づく画像情報を記録媒体または外部に出力する出力部とを備えた撮像装置によって実行され、広角または望遠に切替える操作を受付けるステップと、広角に切替える操作が受付けられた場合、イメージ処理部を第２のモードに切替え、望遠に切替える操作が受付けられた場合、イメージ処理部を第１のモードに切替えるステップとを含む。
【００１７】
この発明に従えば、広角および望遠を簡単に切替えることが可能な撮像方法を提供することができる。また、望遠に切替える操作が行なわれるだけで、被写体を第２の数の倍率の相似形とすることができるので、広角および望遠をダイナミックに切替えることができる。
【図面の簡単な説明】
【００１８】
【図１】この発明の実施の形態における撮像装置の外観図である。
【図２】この実施の形態における撮像装置の構成の概略を示すブロック図である。
【図３】この実施の形態における撮像装置の信号の流れを示すフロー図である。
【図４】画素混合のイメージを説明するための図である。
【図５】この実施の形態におけるイメージセンサによって得られる画像を説明するための第１の図である。
【図６】この実施の形態におけるイメージセンサによって得られる画像を説明するための第２の図である。
【図７】この実施の形態における撮像装置によって実行されるメイン処理の流れを示すフローチャートである。
【図８】この実施の形態における撮像装置によって実行される撮影処理の流れを示すフローチャートである。
【図９】この実施の形態における撮像装置によって得られる画像の例を示す図である。
【図１０】この実施の形態における撮像装置によって得られる画像の範囲を示す第１の図である。
【図１１】この実施の形態における撮像装置によって得られる画像の範囲を示す第２の図である。
【発明を実施するための形態】
【００１９】
以下、この発明の実施の形態について、図面を参照しながら詳細に説明する。なお、図中の同一または相当部分については、同一符号を付してその説明は繰返さない。
【００２０】
図１は、この発明の実施の形態における撮像装置１００の外観図である。図１（ａ）は、撮像装置１００をレンズ側から見た外観図である。図１（ｂ）は、撮像装置１００を操作パネル側から見た外観図である。図１（ｃ）は、撮像装置１００の操作パネルの拡大図である。図１（ａ）〜（ｃ）を参照して、この実施の形態においては、撮像装置１００は、デジタルムービーカメラであることとして説明する。
【００２１】
しかし、これに限定されず、撮像装置１００は、ＣＣＤ（Charge Coupled Device）イメージセンサまたはＣＭＯＳ（Complementary Metal Oxide Semiconductor）イメージセンサなどのエリアイメージセンサを搭載している装置であれば、他の装置であってもよく、たとえば、デジタルスチルカメラであってもよいし、スチルカメラ機能またはビデオカメラ機能を有する携帯通信端末であってもよい。
【００２２】
撮像装置１００は、主に、レンズなどの光学系１５１を備える本体部と、表示部１４０を備えるモニタユニット部とから構成される。モニタユニット部を本体部に折りたたんだときにモニタユニット部が接する本体部の側面には、電源のオンまたはオフを切替えるための電源ボタン１３２が設けられる。本体部の上面の操作パネル側には、ズームレンジを広角または望遠に切替えるためのズームレンジボタン１３１が設けられる。
【００２３】
操作パネルには、広角側または望遠側に徐々にズームするためのズームスイッチ１３３、静止画を撮影するためのフォトボタン１３４、動画の録画を開始または停止するためのムービーボタン１３５、撮影モードまたは再生モードに切替えるためのＲＥＣ／ＰＬＡＹボタン１３６、各種設定モードに切替えるためのメニューボタン１３７、および、各種設定において上下左右に動かすことで選択操作をするとともに押下することで決定操作をするためのセットボタン１３８が設けられる。
【００２４】
図２は、この実施の形態における撮像装置１００の構成の概略を示すブロック図である。図３は、この実施の形態における撮像装置１００の信号の流れを示すフロー図である。なお、図３において、流れを示す矢印のうち実線のものは、画像に関する信号を示し、破線のものは、制御に関する信号を示す。まず、撮像装置１００の構成および映像を撮影するための撮像装置１００の各部の動作について説明する。
【００２５】
図２および図３を参照して、撮像装置１００は、制御部１１０と、記憶部１２０と、操作部１３０と、表示部１４０と、光学系制御部１５０と、光学系１５１と、撮像素子制御部１６０と、撮像素子１６１と、映像処理部１７０と、ＡＤ（Analog Digital）変換部１７１と、音声処理部１８０と、マイク１８１と、スピーカ１８２と、圧縮伸張処理部１９０とを備える。
【００２６】
操作部１３０は、図１で説明した電源ボタン１３２、ズームレンジボタン１３１、および、操作パネルの各種ボタンからの操作信号を制御部１１０に送信する。
【００２７】
記憶部１２０は、ＲＯＭ（Read Only Memory）（たとえば、フラッシュメモリ）などの不揮発性メモリおよびＲＡＭ（Random Access Memory）（たとえば、ＳＤＲＡＭ（synchronous Dynamic Random Access Memory））などの揮発性メモリ、ならびに、メモリカード１２１（たとえば、ＳＤメモリカードおよびＵＳＢメモリ）のデータを読書きするためのメモリカードスロットを含む。
【００２８】
なお、記憶部１２０は、不揮発性メモリおよび揮発性メモリなどの半導体メモリに加えてまたは替えて、他の内部記憶装置、たとえば、ハードディスクドライブを含むようにしてもよい。また、記憶部１２０は、メモリカードスロットに加えてまたは替えて、他の外部記憶装置、たとえば、光ディスク（たとえば、ＤＶＤ（Digital Versatile Disc）およびＢＤ（Blu-ray Disc））などの記録媒体のデータを読書きする装置を含むようにしていもよい。
【００２９】
記憶部１２０は、撮像装置１００を制御するためのプログラムのデータ、撮像装置１００を制御するためのデータ、撮像装置１００の各種機能を設定するための設定データ、および、撮像装置１００によって撮像された静止画または動画のデータなどを記憶する。
【００３０】
また、記憶部１２０は、プログラムが実行されるときのワークメモリ、および、撮像処理が行なわれるときのバッファメモリなどとして用いられる。
【００３１】
制御部１１０は、ＣＰＵ（Central Processing Unit）を含み、記憶部１２０に記憶された撮像装置１００を制御するためのプログラムに従って、操作部１３０からの操作信号に応じて、記憶部１２０、表示部１４０、光学系制御部１５０、撮像素子制御部１６０、映像処理部１７０、音声処理部１８０、および、圧縮伸張処理部１９０を制御する。
【００３２】
光学系１５１は、複数のレンズ、絞り、および、レンズの位置および絞りの開度を変更するためのアクチュエータを含む。光学系１５１は、外部の被写体やその背景などから入射された光を撮像素子１６１の受光面に導く。
【００３３】
光学系１５１のアクチュエータは、光学系制御部１５０からの制御信号に従って、レンズの位置、ならびに、絞りの開度を調整することによって、所定の範囲で、撮像素子１６１の受光面で結像する画像のズーム倍率を変更したり、受光面でのフォーカスを調整したり、受光面に入射される光量を制限したりする。
【００３４】
光学系制御部１５０は、制御部１１０からの制御信号に従って、光学系１５１のアクチュエータを制御して、撮像素子１６１で結像される画像のズーム倍率およびフォーカス、ならびに、撮像素子１６１への入射光量を変化させる。
【００３５】
たとえば、操作部１３０は、ズームスイッチ１３３が望遠側または広角側に操作されると、それぞれ、その旨の操作信号を制御部１１０に送信する。制御部１１０のＣＰＵによってプログラムが実行されることによって制御部１１０に構成されるズーム制御部１１１は、望遠側または広角側にズームする旨の操作信号を受けると、それぞれ、光学ズームのズーム倍率を徐々に上げるまたは下げるための制御信号を、光学系制御部１５０に送信する。
【００３６】
光学系制御部１５０は、制御部１１０から光学ズームのズーム倍率を徐々に上げるための制御信号が送信されてきた場合は、光学系１５１の画角を徐々に望遠側に移行させるための制御信号を、光学系１５１のアクチュエータに送信し、ズーム倍率を徐々に下げるための制御信号が送信されてきた場合は、光学系１５１の画角を徐々に広角側に移行させるための制御信号を、光学系１５１のアクチュエータに送信する。光学系１５１のアクチュエータは、光学系制御部１５０からの制御信号に応じて、光学系１５１の画角を徐々に望遠側または広角側に移行させるようにレンズの位置を動かす。
【００３７】
撮像素子１６１は、光を検出して電荷を発生させるフォトダイオードをそれぞれ１つ含む受光部を２次元に複数配列した受光面を有するエリアイメージセンサであり、本実施の形態においては、ＣＣＤイメージセンサである。なお、撮像素子１６１は、ＣＭＯＳイメージセンサであってもよい。
【００３８】
撮像素子１６１は、撮像素子制御部１６０によって制御されて、光学系１５１から入射された光が受光面で結像した画像を、各受光部ごとの画像の光の明暗に応じて光電変換により電荷として蓄積し、撮像素子制御部１６０からの駆動パルスに従って、順次、受光部ごとの電荷の量を電圧に変換して、それらの電圧の変化を電気信号として出力する。
【００３９】
また、本実施の形態における撮像素子１６１の各受光部には、４つの受光部ごとにそれぞれＧ（Green），Ｒ（Red）Ｂ（Blue），Ｇのカラーフィルタ、いわゆるベイヤー配列のカラーフィルタが設けられる。これにより、それぞれの受光部には、それぞれの色のカラーフィルタを通った光が入射され、それぞれの色成分に関する電圧の電気信号が撮像素子１６１から出力される。
【００４０】
ただし、カラーフィルタについては、ベイヤー配列のカラーフィルタに限定されず、他のカラーフィルタ、たとえば、他の配列の原色カラーフィルタであってもよいし、補色カラーフィルタであってもよい。また、撮像素子１６１は、本実施の形態で用いるベイヤー配列のカラーフィルタのように、各受光部ごとにカラーフィルタが設けられ、各受光部で各色の成分を検出するものに限定されず、各受光部が複層で構成されて各層で各色の成分を検出するものであってもよい。
【００４１】
ＡＤ変換部１７１は、撮像素子制御部１６０によって制御されて、撮像素子１６１からのアナログの電気信号を、量子化してデジタルの画像信号に変換する。
【００４２】
撮像素子制御部１６０は、制御部１１０からの制御信号に従って、撮像素子１６１およびＡＤ変換部１６２にクロック信号を供給したり、撮像素子１６１の駆動モードを切替えたりする。
【００４３】
たとえば、操作部１３０は、ズームレンジボタン１３１が操作されると、その旨の操作信号を制御部１１０に送信する。制御部１１０のＣＰＵによってプログラムが実行されることによって制御部１１０に構成される駆動モード制御部１１２は、ズームレンジボタン１３１が操作された旨の操作信号を受信すると、撮像素子１６１の駆動モードを切替えるための制御信号を、撮像素子制御部１６０に送信する。
【００４４】
撮像素子制御部１６０は、撮像素子１６１の駆動モードを切替えるための制御信号を受信すると、撮像素子１６１の駆動モードを切替える。撮像素子１６１は、切替えられた駆動モードに従って電気信号を出力する。駆動モードについては、後述する。
【００４５】
ここで、撮像素子１６１における画素混合について説明する。図４は、画素混合のイメージを説明するための図である。図４を参照して、本実施の形態における撮像素子１６１のカラーフィルタの配列は、前述した図４（ａ）で示すようなベイヤー配列である。図４においては、各記号は、各受光部の電荷の値を示す。
【００４６】
ここでは、４つの受光部の電荷を加算する４画素混合の場合について説明する。この場合、同色のカラーフィルタを有する近傍の４つの受光部の電荷が加算されて電圧に変換されて電気信号として出力される。
【００４７】
本実施の形態においては、同色のカラーフィルタを有する近傍の４つの受光部とは、Ｇ，Ｒ，Ｂ，Ｇのカラーフィルタを有する隣接する２×２の４つの受光部を１組として、隣接する２組×２組の４組のそれぞれ組内で同位置の４つの受光部である。
【００４８】
具体的には、｛Ｇ11，Ｒ12，Ｂ21，Ｇ22｝，{Ｇ13，Ｒ14，Ｂ23，Ｇ24｝，{Ｇ31，Ｒ32，Ｂ41，Ｇ42｝，｛Ｇ33，Ｒ34，Ｂ43，Ｇ44｝の受光部をそれぞれ１組とする。これらの組は、隣接する２組×２組の４組である。この場合、同色のカラーフィルタを有する近傍の４つの受光部の組は、それぞれ、｛Ｇ11，Ｇ13，Ｇ31，Ｇ33｝，｛Ｒ12，Ｒ14，Ｒ32，Ｒ34｝，｛Ｂ21，Ｂ23，Ｂ41，Ｂ43｝，｛Ｇ22，Ｇ24，Ｇ42，Ｇ44｝である。
【００４９】
そして、図４（ｂ）で示すように、同色のカラーフィルタを有する近傍の４つの受光部の電荷が加算され、図４（ｃ）で示す加算されたＧ'22，Ｒ'23，Ｂ'32，Ｇ'33の４つの電荷が電圧に変換されて電気信号として出力される。
【００５０】
つまり、受光面に同じ面積で結像した画像が、４画素混合しない場合に出力される電気信号に対して、画素数が１／４で、各画素の電圧のレンジが４倍に変換された電気信号として出力される。
【００５１】
本実施の形態において、撮像素子１６１は、駆動モードとして、第１のモードと第２のモードとを少なくとも有する。図５は、この実施の形態におけるイメージセンサによって得られる画像を説明するための第１の図である。図６は、この実施の形態におけるイメージセンサによって得られる画像を説明するための第２の図である。
【００５２】
図５を参照して、撮像装置１００の外部から光学系１５１を介して入射された光は、光学系１５１の焦点距離において、イメージサークル１５２の範囲内で像を結ぶ。被写体２０１から光学系１５１を介して入射された光は、光学系１５１の焦点距離に設けられた撮像素子１６１の受光面３００で像３０１を結ぶ。
【００５３】
第１のモードは、３８４０×２１６０の受光部で構成される受光面３００のうちの中央のＨ×Ｖ（本実施の形態においては、Ｈ＝１９２０，Ｖ＝１０８０）の受光部で構成される第１の領域（図５の受光面３００の内側の破線で囲まれた矩形の領域）に含まれる各受光部の電荷に対応する電圧を走査順に連ねた電気信号を出力する切出しモードである。いいかえれば、切出しモードは、第１の領域に含まれる１の自乗の受光部ごとにその１の自乗の受光部の電荷に対応する電圧を走査順に連ねた電気信号を出力するモードである。
【００５４】
第１のモードで出力される電気信号で示される画像４００Ａは、サイズが１９２０×１０８０画素であり、被写体２０１の像３０１が画像４００Ａの大きな範囲を占める状態で含まれる。つまり、被写体２０１が望遠で撮影されたような状態の画像４００Ａが出力される。
【００５５】
第２のモードは、３８４０×２１６０の受光部で構成される受光面３００のうちの中央の２Ｈ×２Ｖ（本実施の形態においては、３８４０×２１６０、つまり、受光面と同じ範囲）の受光部で構成される第２の領域（図６の受光面３００の外形の実線で囲まれた矩形の領域）に含まれる２の自乗の受光部ごとにそれらの２の自乗の受光部の電荷を加算したものに対応する電圧を走査順に連ねた電気信号を出力する図４で説明した４画素混合モードである。
【００５６】
第２のモードで出力される電気信号で示される画像４００Ｂは、サイズが１９２０×１０８０画素であり、画像４００Ａに含まれる像３０１の大きさと比較して、被写体２０１の像３０１が画像４００Ｂの小さな範囲を占める状態で含まれる。つまり、被写体２０１が広角で撮影されたような状態の画像４００Ｂが出力される。
【００５７】
第２の領域は、第１の領域の２倍の相似形である。また、第１の領域および第２の領域の中心点は同じであることが好ましい。
【００５８】
図２および図３に戻って、映像処理部１７０は、制御部１１０からの制御信号に従って、ＡＤ変換部１７１からのデジタル化されたベイヤーパターンの画像信号をＲＧＢ信号に変換したり、ガンマ補正などの階調補正処理をしたり、ＲＧＢ信号からＹＣｂＣｒ信号へ変換したり、ＹＣｂＣｒ信号を記憶部１２０の映像バッファ１２２に一時的に記憶させたりする。また、映像処理部１７０は、画像を補正するための他の処理を行なうようにしてもよい。
【００５９】
マイク１８１は、外部からの音声を電圧の変化で示される電気信号に変換して音声処理部１８０に送信する。
【００６０】
音声処理部１８０は、制御部１１０からの制御信号に従って、マイク１８１からのアナログの電気信号を、量子化してデジタルの音声信号に変換して、記憶部１２０のバッファに記憶させる。また、音声処理部１８０は、制御部１１０からの制御信号に従って、圧縮伸張処理部１９０で伸張された音声信号をアナログの電気信号に変換してスピーカ１８２に出力する。
【００６１】
スピーカ１８２は、音声処理部１８０から出力された電気信号を音声に変換して外部に出力する。
【００６２】
圧縮伸張処理部１９０は、制御部１１０からの制御信号に従って、記憶部１２０の映像バッファ１２２に記憶されたＹＣｂＣｒ信号を読出し、記憶部１２０のバッファの音声信号も読出し、読出したＹＣｂＣｒ信号および音声信号を圧縮して、ＭＰＥＧ−４（Moving Picture Experts Group phase 4）フォーマット形式の映像データに変換して、その映像データを記憶部１２０の書込みバッファ１２３に記憶させる。
【００６３】
制御部１１０は、記憶部１２０の書込みバッファ１２３に記憶された映像データをメモリカード１２１に記憶させる。
【００６４】
たとえば、操作部１３０は、ムービーボタン１３５が操作されると、その旨の操作信号を制御部１１０に送信する。制御部１１０のＣＰＵによってプログラムが実行されることによって制御部１１０に構成される撮影開始停止制御部１１３は、ムービーボタン１３５が操作された旨の操作信号を受けると、動画を撮影中であれば、撮影を停止させるための制御を行ない、動画を撮影中でなければ、撮影を開始させるための制御を行なう。
【００６５】
具体的には、撮影を開始させるための制御として、撮像素子が撮影の設定に応じた電気信号を出力するように撮像素子制御部１６０に制御信号を送信し、撮影のための処理を開始するように映像処理部１７０、圧縮伸張処理部１９０および記憶部１２０の各バッファを制御する。
【００６６】
表示部１４０は、表示装置（たとえば、ＬＣＤ（Liquid Crystal Display））を含み、制御部からの制御信号に従って、映像処理部１７０で処理された映像もしくは記憶部１２０のメモリカード１２１などに記憶された映像、それらの映像に重ねて撮像装置１００の状態を示す表示（たとえば、残り撮影時間、電池の残量など）、および、各種メニュー画面（たとえば、各種設定値を設定するための画面、再生する映像を選択する画面など）等を表示する。
【００６７】
図７は、この実施の形態における撮像装置１００によって実行されるメイン処理の流れを示すフローチャートである。図７を参照して、まず、ステップＳ１０１で、制御部１１０のＣＰＵは、ＲＥＣ／ＰＬＡＹボタン１３６が操作された旨の操作信号が操作部１３０から送信されてきたことに応じて撮影モードに切替えられたか否かを判断する。
【００６８】
撮影モードに切替えられていないと判断した場合（ステップＳ１０１でＮＯと判断した場合）、ＣＰＵは、撮影モードに切替えられた場合以外の処理を実行する。
【００６９】
一方、撮影モードに切替えられたと判断した場合（ステップＳ１０１でＹＥＳと判断した場合）、ＣＰＵは、ステップＳ１０２で、撮影のための設定値である撮影パラメータを記憶部１２０から復帰させる。また、ＣＰＵは、光学ズーム位置を初期化する。さらに、ＣＰＵは、現在のズームレンジが広角であるか望遠であるかを示す変数ZoomRangeに、前回終了時のズームレンジが広角であるか望遠であるかを示す変数Prev_ZoomRangeが示す値をセットする。
【００７０】
なお、変数ZoomRange，Prev_ZoomRangeで示される値は、ズームレンジが広角であることを示すWideおよびズームレンジが望遠であることを示すTeleのいずれかである。また、少なくとも変数Prev_ZoomRangeは、記憶部１２０の不揮発メモリの領域に記憶される。これにより、撮像装置１００の電源を切っても、次回電源を入れたときに、変数Prev_ZoomRangeの値を用いることができる。
【００７１】
次に、ステップＳ１０３で、ＣＰＵは、変数ZoomRangeの値がWideであるか否かを判断する。Wideでないと判断した場合（ステップＳ１０３でＮＯと判断した場合）、ステップＳ１０４で、ＣＰＵは、変数ZoomRangeの値がTeleであるか否かを判断する。Teleでないと判断した場合（ステップＳ１０４でＮＯと判断した場合）、つまり、復帰させたZoomRangeの値が何らかの原因で不定である場合、ステップＳ１０５で、ＣＰＵは、変数ZoomRangeに値Wideをセットする。
【００７２】
ステップＳ１０３でWideであると判断した場合（ＹＥＳと判断した場合）、および、ステップＳ１０５の後、ステップＳ１１１で、ＣＰＵは、撮像素子１６１の駆動モードを示す変数Is_Drvに、４画素混合モードであることを示す値MIXをセットし、撮像素子１６１の駆動モードを４画素混合モードにするための制御信号を撮像素子制御部１６０に送信する。撮像素子制御部１６０は、この制御信号に従って、撮像素子１６１の駆動モードを４画素混合モードに切替える。
【００７３】
次に、ステップＳ１１２で、ＣＰＵは、撮像素子１６１の駆動を開始するための制御信号を撮像素子制御部１６０に送信する。
【００７４】
撮像素子制御部１６０は、この制御信号に従って、撮像素子１６１の駆動を開始する。これにより、撮像素子１６１は、４画素混合モードで電気信号をＡＤ変換部１７１に出力する。ＡＤ変換部１７１は、撮像素子１６１からの電気信号をデジタルの画像信号に変換する。映像処理部１７０は、ＡＤ変換部１７１からの画像信号をＹＣｂＣｒ信号へ変換する。圧縮伸張処理部１９０は、ＹＣｂＣｒ信号をＭＰＥＧ−４フォーマット形式の映像データに変換する。制御部１１０は、圧縮伸張処理部１９０で変換された映像データをメモリカード１２１に記憶させる。
【００７５】
次いで、ステップＳ１１３で、ＣＰＵは、表示部１４０の表示装置で撮影中の映像を表示させるための制御信号を表示部１４０に送信する。表示部１４０は、この制御信号に従って、映像処理部１７０からのＹＣｂＣｒ信号で示される映像の表示装置での表示を開始する。
【００７６】
そして、ステップＳ１１４で、ＣＰＵは、表示部１４０の表示装置に、ズームレンジが広角であることを示すＷｉｄｅアイコンを表示させるための制御信号を表示部１４０に送信する。表示部１４０は、この制御信号に従って、Ｗｉｄｅアイコンを表示装置に表示させる。その後、ＣＰＵは、処理をステップＳ１３０に進める。
【００７７】
一方、ステップＳ１０４でTeleであると判断した場合（ＹＥＳと判断した場合）、ステップＳ１２１で、ＣＰＵは、変数Is_Drvに、切出しモードであることを示す値CUTをセットし、撮像素子１６１の駆動モードを切出しモードにするための制御信号を撮像素子制御部１６０に送信する。撮像素子制御部１６０は、この制御信号に従って、撮像素子１６１の駆動モードを切出しモードに切替える。
【００７８】
次に、ステップＳ１２２で、ＣＰＵは、撮像素子１６１の駆動を開始するための制御信号を撮像素子制御部１６０に送信する。撮像素子制御部１６０は、この制御信号に従って、撮像素子１６１の駆動を開始する。これにより、撮像素子１６１は、切出しモードで電気信号をＡＤ変換部１７１に出力する。その後の信号の流れは、ステップＳ１１２で説明した流れと同様である。
【００７９】
次いで、ステップＳ１２３で、ＣＰＵは、表示部１４０の表示装置で撮影中の映像を表示させるための制御信号を表示部１４０に送信する。表示部１４０の動作は、ステップＳ１１３で説明した動作と同様である。
【００８０】
そして、ステップＳ１２４で、ＣＰＵは、表示部１４０の表示装置に、ズームレンジが望遠であることを示すＴｅｌｅアイコンを表示させるための制御信号を表示部１４０に送信する。表示部１４０は、この制御信号に従って、Ｔｅｌｅアイコンを表示装置に表示させる。その後、ＣＰＵは、処理をステップＳ１３０に進める。
【００８１】
ステップＳ１３０では、ＣＰＵは、撮影処理を実行する。撮影処理については、後述する図８で説明する。
【００８２】
撮影処理が終了した後、ステップＳ１９１で、ＣＰＵは、変数Prev_ZoomRangeに、変数ZoomRangeの値をセットする。次回、撮像装置１００を撮影モードに切替えたときに、ZoomRangeの値を前回と同じ値にすることができる。
【００８３】
次に、ステップＳ１９２で、ＣＰＵは、撮像装置１００の電源を切る前に必要な処理を実行し、その後、電源を切る。
【００８４】
図８は、この実施の形態における撮像装置１００によって実行される撮影処理の流れを示すフローチャートである。この撮影処理は、図７で説明したメイン処理のステップＳ１３０で実行される処理である。
【００８５】
図８を参照して、まず、ステップＳ１３１で、制御部１１０のＣＰＵは、光学系制御部１５０、撮像素子制御部１６０および映像処理部１７０などに制御信号を送信することにより、オートフォーカス、オート露出、オートホワイトバランスのための処理を実行する。
【００８６】
次に、ステップＳ１３２で、ＣＰＵは、キースキャン、つまり、入力部１３０からいずれかのボタンやスイッチが操作された旨の操作信号を受信しているかどうかを確認する。ただし、本フローチャートでは、処理の流れの途中でキースキャンを行なうようになっているが、実際には、割込み処理でキースキャンをする。
【００８７】
ステップＳ１３３では、ＣＰＵは、キースキャンの結果、フォトボタン１３４の操作が確認されたか否かを判断する。フォトボタン１３４の操作が確認されたと判断した場合（ステップＳ１３３でＹＥＳと判断した場合）、ステップＳ１３４で、ＣＰＵは、ムービー撮影中であるか否かを判断する。
【００８８】
ムービー撮影中でないと判断した場合（ステップＳ１３４でＮＯと判断した場合）、ステップＳ１３５で、ＣＰＵは、静止画を撮影するためのフォト撮影処理を実行する。その後、ＣＰＵは、実行する処理をステップＳ１３１の処理に戻す。
【００８９】
一方、ムービー撮影中であると判断した場合（ステップＳ１３４でＹＥＳと判断した場合）、ステップＳ１３６で、ＣＰＵは、動画の撮影中に静止画を撮影するためのムービー中フォト撮影処理を実行する。その後、ＣＰＵは、実行する処理をステップＳ１３１の処理に戻す。
【００９０】
ステップＳ１３３でフォトボタン１３４の操作が確認されていないと判断した場合（ＮＯと判断した場合）、ステップＳ１４１で、ＣＰＵは、キースキャンの結果、ズームスイッチ１３３の望遠側への操作が確認されたか否かを判断する。望遠側への操作が確認されたと判断した場合（ステップＳ１４１でＹＥＳと判断した場合）、ステップＳ１４２で、ＣＰＵは、光学ズームを望遠側に移動させるための制御信号を光学系制御部１５０に送信する。その後、ＣＰＵは、実行する処理をステップＳ１３１の処理に戻す。
【００９１】
光学系制御部１５０は、制御部１１０のＣＰＵから光学ズームを望遠側に移動させるための制御信号を受信した場合、光学系１５１の画角を徐々に望遠側に移行させるための制御信号を、光学系１５１のアクチュエータに送信する。光学系１５１のアクチュエータは、光学系制御部１５０からの制御信号に応じて、光学系１５１の画角を徐々に望遠側に移行させるようにレンズの位置を動かす。
【００９２】
ステップＳ１４１でズームスイッチ１３３の望遠側への操作が確認されていないと判断した場合（ＮＯと判断した場合）、ステップＳ１４３で、ＣＰＵは、キースキャンの結果、ズームスイッチ１３３の広角側への操作が確認されたか否かを判断する。広角側への操作が確認されたと判断した場合（ステップＳ１４３でＹＥＳと判断した場合）、ステップＳ１４４で、ＣＰＵは、光学ズームを広角側に移動させるための制御信号を光学系制御部１５０に送信する。その後、ＣＰＵは、実行する処理をステップＳ１３１の処理に戻す。
【００９３】
光学系制御部１５０は、制御部１１０のＣＰＵから光学ズームを広角側に移動させるための制御信号を受信した場合、光学系１５１の画角を徐々に広角側に移行させるための制御信号を、光学系１５１のアクチュエータに送信する。光学系１５１のアクチュエータは、光学系制御部１５０からの制御信号に応じて、光学系１５１の画角を徐々に広角側に移行させるようにレンズの位置を動かす。
【００９４】
ステップＳ１４３でズームスイッチ１３３の広角側への操作が確認されていないと判断した場合（ＮＯと判断した場合）、ステップＳ１５１で、ＣＰＵは、キースキャンの結果、ズームレンジボタン１３１の操作が確認されたか否かを判断する。
【００９５】
ズームレンジボタン１３１の操作が確認されたと判断した場合（ステップＳ１５１でＹＥＳと判断した場合）、ステップＳ１５２で、ＣＰＵは、変数ZoomRangeの値がWideであるか否かを判断する。Wideであると判断した場合（ステップＳ１５２でＹＥＳと判断した場合）、ステップＳ１５３で、ＣＰＵは、変数ZoomRangeの値をTeleに変更する。つまり、ズームレンジが広角であった場合は、望遠に切替える。
【００９６】
次に、ステップＳ１５４で、変数Is_Drvの値をCUTに変更し、撮像素子１６１の駆動モードを切出しモードにするための制御信号を撮像素子制御部１６０に送信する。撮像素子制御部１６０は、この制御信号に従って、撮像素子１６１の駆動モードを切出しモードに切替える。
【００９７】
そして、ステップＳ１５５で、ＣＰＵは、表示部１４０の表示装置に、ズームレンジが望遠であることを示すＴｅｌｅアイコンを表示させるための制御信号を表示部１４０に送信する。表示部１４０は、この制御信号に従って、Ｔｅｌｅアイコンを表示装置に表示させる。その後、ＣＰＵは、処理をステップＳ１３１に進める。
【００９８】
変数ZoomRangeの値がWideでないと判断した場合（ステップＳ１５２でＮＯと判断した場合）、ステップＳ１５６で、ＣＰＵは、変数ZoomRangeの値をWideに変更する。つまり、ズームレンジが望遠であった場合は、広角に切替える。
【００９９】
次に、ステップＳ１５７で、変数Is_Drvの値をMIXに変更し、撮像素子１６１の駆動モードを４画素混合モードにするための制御信号を撮像素子制御部１６０に送信する。撮像素子制御部１６０は、この制御信号に従って、撮像素子１６１の駆動モードを４画素混合モードに切替える。
【０１００】
そして、ステップＳ１５８で、ＣＰＵは、表示部１４０の表示装置に、ズームレンジが広角であることを示すＷｉｄｅアイコンを表示させるための制御信号を表示部１４０に送信する。表示部１４０は、この制御信号に従って、Ｗｉｄｅアイコンを表示装置に表示させる。その後、ＣＰＵは、処理をステップＳ１３１に進める。
【０１０１】
ステップＳ１５１でズームレンジボタン１３１の操作が確認されていないと判断した場合（ＮＯと判断した場合）、ステップＳ１６１で、ＣＰＵは、キースキャンの結果、ムービーボタン１３５の操作が確認されたか否かを判断する。
【０１０２】
ムービーボタン１３５の操作が確認されたと判断した場合（ステップＳ１６１でＹＥＳと判断した場合）、ステップＳ１６２で、ＣＰＵは、ステップＳ１６２で、ＣＰＵは、ムービー撮影中であるか否かを判断する。
【０１０３】
ムービー撮影中であると判断した場合（ステップＳ１６２でＹＥＳと判断した場合）、ステップＳ１６３で、ＣＰＵは、動画の撮影を停止する制御を実行する。その後、ＣＰＵは、実行する処理をステップＳ１３１の処理に戻す。
【０１０４】
一方、ムービー撮影中でないと判断した場合（ステップＳ１６２でＮＯと判断した場合）、ステップＳ１６４で、ＣＰＵは、動画の撮影を開始する制御を実行する。その後、ＣＰＵは、実行する処理をステップＳ１３１の処理に戻す。
【０１０５】
ステップＳ１６１でムービーボタン１３５の操作が確認されていないと判断した場合（ＮＯと判断した場合）、ステップＳ１７１で、ＣＰＵは、その他の処理を実行する。次に、ステップＳ１７２で、ＣＰＵは、電池の残量等の電池等の動作条件を確認するために、電源を監視する。
【０１０６】
次いで、ステップＳ１７３で、ＣＰＵは、電源ボタン１３２が操作された旨の操作信号を操作部１３０から受信したことによって、終了条件が成立したか否かを判断する。終了条件が成立していないと判断した場合（ステップＳ１７３でＮＯと判断した場合）、ＣＰＵは、実行する処理をステップＳ１３１に戻す。
【０１０７】
一方、終了条件が成立したと判断した場合（ステップＳ１７３でＹＥＳと判断した場合）、ＣＰＵは、実行する処理をこの撮影処理の呼出元のメイン処理のステップＳ１３０に戻す。
【０１０８】
図９は、この実施の形態における撮像装置１００によって得られる画像の例を示す図である。図９を参照して、ユーザによってズームレンジボタン１３１が操作されてズームレンジ切替操作が行なわれることによって、ズームレンジがワイドモード、つまり、広角に切替えられた場合、図９の左側の画面が表示部１４０に表示される。
【０１０９】
ズームレンジがワイドモードであるときには、表示部１４０に表示されている画面の左下に、図８のステップＳ１５８で説明したように、ワイドモードであることを示すＷｉｄｅアイコンが表示される。
【０１１０】
そして、ワイドモードにおいて、ユーザによってズームスイッチ１３３が操作されてズーム操作が行なわれることによって、ズーム倍率は、１倍から５倍までの間で変更される。
【０１１１】
図１０は、この実施の形態における撮像装置１００によって得られる画像の範囲を示す第１の図である。図１０を参照して、ワイドモードにおいて、ズーム倍率が変更されることによって、風景５００のフレーム１４１からフレーム１４２までの間で撮影される画像がズームされる。
【０１１２】
図９に戻って、ユーザによってズームレンジボタン１３１が操作されてズームレンジ切替操作が行なわれることによって、ズームレンジがテレモード、つまり、望遠に切替えられた場合、図９の右側の画面が表示部１４０に表示される。
【０１１３】
ズームレンジがテレモードであるときには、表示部１４０に表示されている画面の右下に、図８のステップＳ１５５で説明したように、テレモードであることを示すＴｅｌｅアイコンが表示される。
【０１１４】
そして、テレモードにおいて、ユーザによってズームスイッチ１３３が操作されてズーム操作が行なわれることによって、ズーム倍率は、２倍から１０倍までの間、つまり、ワイドモードの２倍のズームレンジで変更される。
【０１１５】
図１１は、この実施の形態における撮像装置１００によって得られる画像の範囲を示す第２の図である。図１１を参照して、テレモードにおいて、ズーム倍率が変更されることによって、風景５００のフレーム１４３からフレーム１４４までの間で撮影される画像がズームされる。
【０１１６】
次に、上述した実施の形態の変形例について説明する。
（１）  前述した実施の形態においては、ズームレンジを広角または望遠に切替えられるだけでなく、それぞれのズームレンジ内でのズームも可能とした。しかし、これに限定されず、画角を広角または望遠に切替えらるが、それぞれの画角においてズームはできないように構成してもよい。
【０１１７】
（２）  前述した実施の形態においては、図３で説明したように、制御部１１０のＣＰＵによってプログラムが実行されることによって、制御部１１０の汎用のＣＰＵに、ズーム制御部１１１、駆動モード切替部１１２および撮影開始停止制御部１１３などが構成されることとした。しかし、これに限定されず、制御部１１０に、ズーム制御部１１１、駆動モード切替部１１２および撮影開始停止制御部１１３などの機能を実現する専用のハードウェアが含まれるようにしてもよい。
【０１１８】
（３）  前述した実施の形態においては、画素混合する場合は、撮像素子１６１で画素混合された電圧の電気信号を出力するようにした。しかし、これに限定されず、撮像素子１６１から電圧の電気信号を出力後に、その電気信号に基づいて画素混合するようにしてもよい。たとえば、撮像素子１６１から出力された各受光部ごとの電荷に対応する電圧の電気信号を、ＡＤ変換部１７１でＡＤ変換した後に、映像処理部１７０で画素混合するようにしてもよい。
【０１１９】
（４）  前述した実施の形態においては、画素混合のように、ｎ×ｎ（ｎ＝２）の受光部の電荷を加算したものに対応する電圧を出力する画素混合を行なうようにした。しかし、これに限定されず、ｎ×ｎの受光部の電荷の代表値に対応する電圧の電気信号を出力するものであれば他の方法であってもよい。
【０１２０】
たとえば、代表値としては、本実施の形態においては、ｎ×ｎ（ｎ＝２）の受光部の電荷を加算したものとしたが、ｎ×ｎの受光部の電荷の平均値であってもよい。また、ｎ×ｎの受光部のうちの代表の受光部１つの電荷の値であってもよい。この場合は、ｎ×ｎの受光部のうちの１つの受光部に間引いて電荷を出力することに相当する。
【０１２１】
（５）  また、垂直方向のｎの受光部の画素加算を行なうとともに水平方向のｎの受光部は１つの受光部に間引きするようにして、結果的に、ｎ×ｎの受光部の電荷の代表値に対応する電圧の電気信号を出力するものであってもよい。同様に、水平方向のｎの受光部の画素加算を行なうとともに垂直方向のｎの受光部は１つの受光部に間引きをするようにして、結果的に、ｎ×ｎの受光部の電荷の代表値に対応する電圧の電気信号を出力するものであってもよい。
【０１２２】
さらに、水平方向は間引きで垂直方向のみ画素加算する場合、および、垂直方向は間引きで水平方向のみ画素加算する場合に、間引きまたは画素加算の一方を撮像素子１６１で行なうようにして、他方を撮像素子１６１からの電気信号の出力後、たとえば、映像処理部１７０で行なうようにしてもよい。
【０１２３】
（６）  前述した実施の形態においては、第１のモードが、Ｈ×Ｖの領域の受光部の電荷を電気信号として出力する切出しモードであり、第２のモードが、２Ｈ×２Ｖの領域の受光部の電荷を２の自乗の受光部ごとに加算したものを電気信号として出力する４画素混合モードであることとした。
【０１２４】
しかし、これに限定されず、第１のモードが、Ｈ×Ｖの領域の切出しモードであり、第２のモードが、ｎＨ×ｎＶの領域の受光部の電荷をｎの受光部ごとに加算したものを電気信号として出力するｎの自乗の画素混合モード（ｎ＝３，４，・・・）であってもよい。また、第１のモードが、ｍの自乗の画素混合モード（ｍ＝２，３，・・・）であり、第２のモードが（ｍ×ｎ）の自乗の画素混合モード（ｎ＝２，３，・・・）であってもよい。
【０１２５】
（７）  前述した実施の形態においては、ズームレンジを広角と望遠との２つに切替えられることとした。しかし、これに限定されず、ズームレンジを３つ以上に切替えられることとしてもよい。
【０１２６】
たとえば、ズームレンジの切替に応じて、第１の画角から第３の画角までを切替え可能として、第１の画角が第２の画角よりも望遠であり、第２の画角が第３の画角よりも望遠であるとして、撮像素子１６１の駆動モードを、第１の画角のときは、Ｈ×Ｖの領域の切出しモードに、第２の画角のときは、ｍの自乗の画素混合モード（ｍ＝２，３，・・・）に、第３の画角のときは、ｎの自乗の画素混合モード（ｎ＝３，４，・・・、ｍ＜ｎ）に切替えるようにしてもよい。
【０１２７】
（８）  本発明は、撮像装置１００の発明、撮像装置１００で実行される撮像方法の発明、撮像装置１００で実行される撮像処理のプログラムの発明、および、当該プログラムを記録したコンピュータ読取可能な記録媒体の発明として捉えることができる。
【０１２８】
コンピュータ読取可能な記録媒体としては、磁気テープ、カセットテープ、フレキシブルディスク、ハードディスク等の磁気ディスク、ＣＤ−ＲＯＭ（Compact Disk Read Only Memory）、ＤＶＤ（Digital Versatile Disk）等の光ディスク、ＭＯ（Magneto Optical disk）、ＭＤ（登録商標）（MiniDisc）等の光磁気ディスク、ＩＣカード、光カード等のメモリカード、あるいは、マスクＲＯＭ，ＥＰＲＯＭ（Erasable Programmable Read Only Memory）、ＥＥＰＲＯＭ（Electrionically Erasable and Programmable Read Only Memory）、フラッシュＲＯＭ等の半導体メモリを含めた、固定的にプログラムを担持する記録媒体であってもよいし、ネットワークからプログラムがダウンロードされるように流動的にプログラムを担持する媒体であってもよい。
【０１２９】
（９）  今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１３０】
１００  撮像装置、１１０  制御部、１１１  ズーム制御部、１１２  駆動モード切替部、１１３  撮影開始停止制御部、１２０  記憶部、１２１  メモリカード、１２２  映像バッファ、１２３  書込みバッファ、１３０  操作部、１３１  ズームレンジボタン、１３２  電源ボタン、１３３  ズームスイッチ、１３４  フォトボタン、１３５  ムービーボタン、１３６  ＲＥＣ／ＰＬＡＹボタン、１３７  メニューボタン、１３８  セットボタン、１４０  表示部、１４１〜１４４  フレーム、１５０  光学系制御部、１５１  光学系、１５２  イメージサークル、１６０  撮像素子制御部、１６１  撮像素子、１７０  映像処理部、１７１  ＡＤ変換部、１８０  音声処理部、１８１  マイク、１８２  スピーカ、１９０  圧縮伸張処理部、２０１  被写体、３００  受光面、３０１  像、４００Ａ，４００Ｂ  画像、５００  風景。
【図１】
2011114788.tif 000003
【図２】
2011114788.tif 000004
【図３】
2011114788.tif 000005
【図４】
2011114788.tif 000006
【図５】
2011114788.tif 000007
【図６】
2011114788.tif 000008
【図７】
2011114788.tif 000009
【図８】
2011114788.tif 000010
【図９】
2011114788.tif 000011
【図１０】
2011114788.tif 000012
【図１１】
2011114788.tif 000013